(57)【要約】【課題】被調理物の両面を同時に加熱調理できるようにグリルに上火バーナと下火バーナとを設けたとき、上火及び下火の各バーナー毎に２個の火力ポジションが設定でき、その組合が４種類のなるようにする。【解決手段】バルブケーシング１１ａ、１１ｂに、内部にガス通路１２ａ、１２ｂを設け、このガス通路を介して相互に連通するガス流入部１６ａ、１６ｂと、２個のガスバーナにそれぞれ通じる２個のガス流出部とを設けると共に、各ガス流出部の上流側に、相互に隔絶して複数本の連通路１５をそれぞれ形成する。火力調節ダイヤル８の回転に連動する回転体７１をガス通路に設け、その外周面に、各連通路にそれぞれ対応させてガス通路と各連通路との連通を許容する長溝７２を形成し、一致する長溝と連通路との数に応じて各ガス流出部毎にガスバーナへの燃焼ガス供給量が段階的に増減されるようにする。【選択図】  図２
2004340432.tif 000002
【特許請求の範囲】
【請求項１】
内部にガス通路を有し、このガス通路を介して相互に連通するガス流入部と、２個のガスバーナにそれぞれ通じる２個のガス流出部とを設けたバルブケーシングを有し、このバルブケーシングに火力調節ダイヤルを設けると共に、この火力調節ダイヤルの回転に連動して作動し、各ガス流出部へのガス流量を複数段階に設定する１個のガス流量制御子をガス通路に設け、このガス流量制御子の作動状態に応じて、両ガス流出部でのガス流量の組合わせが相互に異なる４種類以上の状態に変化するようにしたことを特徴とするガス制御装置。
【請求項２】
前記ガス流量制御子をガス通路内に挿設した円筒形状の回転体で形成し、この回転体の外周面に、各ガス流出部の上流側に相互に隔絶して設けた複数本の連通路にそれぞれ対応させてガス通路と各連通路との連通を許容する長溝を形成し、火力調節ダイヤルを介して回転体を回転させ、一致する長溝と連通路との数に応じて各ガス流出部毎にガス流量が段階的に増減するようにしたことを特徴とする請求項１記載のガス制御装置。
【請求項３】
前記各ガス流出部におけるガス流量が大小の２段階に設定されるように前記ガス流量制御子を形成し、前記火力調節ダイヤルの回転角に応じて、両ガス流出部でのガス流量の大小の組合わせが相互に異なる４種類の状態に変化するようにしたことを特徴とする請求項１または請求項２記載のガス制御装置。
【請求項４】
前記火力調節ダイヤルの回転方向の所定位置にクリックを発生させるノック位置を設け、ノック位置毎に、いずれか一方のガス流出部でのガス流量が増減するようにしたことを特徴とする請求項１乃至請求項３のいずれか１項に記載のガス制御装置。
【請求項５】
各連通路を通過してガスバーナへと流れる燃料ガスのガス流量を所定量に調節する複数のオリフィス孔を形成したオリフィス部材を、各オリフィス孔を各連通路にそれぞれ一致させて設けたことを特徴とする請求項１乃至請求項４のいずれか１項に記載のガス制御装置。
【請求項６】
前記火力調節ダイヤルに、ガス通路を開放保持する開弁位置、ガスバーナの点火手段を作動させる点火位置及びガス通路を閉鎖する閉弁位置の間で前後方向に移動自在な点消火ボタンを内設すると共に、閉弁位置から点火位置に点消火ボタンを移動させた場合、各ガスバーナへの燃料ガス供給量を所定量に設定する位置まで火力調節ダイヤルを強制的に回転させる強制回転手段を設けたことを特徴とする請求項１乃至請求項５のいずれか１項に記載のガス制御装置。
【発明の詳細な説明】
【０００１】
【発明の属する技術分野】
本発明は、特に、被調理物の両面調理が行い得るように上火バーナと下火バーナとを設けたグリルにおいて、上火バーナ及び下火バーナへの燃料ガスの供給を同時に制御できるガス制御装置に関する。
【０００２】
【従来の技術】
例えばガスコンロに一体に設けたグリルでは、調理時に焼き網に載置した魚等の被調理物をひっくり返す手間を省いて使い勝手を向上させるため、両面を同時に加熱調理できるように、グリル庫の天井部に上火バーナーを、焼き網の下方に位置してグリル庫の両内側壁に左右の下火バーナーをそれぞれ設けている。この場合、上火バーナ及び下火バーナ毎に、燃料ガスの供給を制御するガス制御装置を設けたのでは、部品点数が増加してコスト高を招く等の問題が生じる。
【０００３】
ところで、グリルに設けるバーナには、煮物調理等を行うためガスコンロの天板に形成した開口を臨むように設けられるガスバーナのような微細な絞り性能が要求されず、上火バーナー及び下火バーナー毎に大小２種類の火力ポジションが設定できれば、調理者に不便な感覚を与えない。このため、第１連通孔を備えた固定ディスクと、第２連通孔を有する回転ディスクとから構成される流量調節弁をバルブケーシング内のガス通路に設け、バルブケーシングに相互に隔絶して設けた２個のガス流出部から上火及び下火の各バーナーへの燃料ガスの供給とガス流量調節とを行うガス制御装置は知られている（特許文献１）。
【０００４】
固定ディスクには、４個の第１連通孔が形成され、この第１連通孔は、ガス流量を大とする２個の孔と、ガス流量を小とする２個の孔とから構成され、大小一対の孔をバルブケーシングの設けた各ガス流出部にぞれぞれ一致させて配置している。そして、回転ディスクを回転させて、ガス流出部毎に第２連通孔を第１連通孔のいずれか一方とそれぞれ一致させることで、上火バーナー及び下火バーナー毎に、強及び弱の２種類の火力ポジションが設定できる。
【０００５】
【特許文献１】
特開２００２−３２３２１８号公報（例えば、図１１及び図１２参照）
【０００６】
【発明が解決しようとする課題】
しかしながら、このものでは、固定ディスクに別個の貫通孔を設け、この貫通孔を介して第１連通孔と第２連通孔とが連通している間だけガス流出部に燃料ガスが流れる。このため、上火バーナ及び下火バーナーの火力ポジションの組合せは３種類にしかできず、被調理物の加熱調理状況に応じて上火バーナ及び下火バーナの少なくとも一方の火力を任意に変更できない場合があり、調理者の利便が悪いという問題があった。即ち、各バーナー使用時に、第２連通孔と貫通孔とを常時一致させておく必要があるため、例えば上火バーナーが強、下火バーナーが弱となる火力ポジションを設定できるように第２連通孔を形成すると、上火バーナーが弱、下火バーナーが強となる火力ポジションを設定できない。
【０００７】
そこで、本発明は、上記問題点に鑑み、上火バーナ及び下火バーナの火力ポジションの組合せが相互に異なる４種類以上にできて利便性のよいガス制御装置を提供することを課題とするものである。
【０００８】
【課題を解決するための手段】
上記課題を解決するために、本発明のガス制御装置は、内部にガス通路を有し、このガス通路を介して相互に連通するガス流入部と、２個のガスバーナにそれぞれ通じる２個のガス流出部とを設けたバルブケーシングを有し、このバルブケーシングに火力調節ダイヤルを設けると共に、この火力調節ダイヤルの回転に連動して作動し、各ガス流出部へのガス流量を複数段階に設定する１個のガス流量制御子をガス通路に設け、このガス流量制御子の作動状態に応じて、両ガス流出部でのガス流量の組合わせが相互に異なる４種類以上の状態に変化するようにしたことを特徴とする。
【０００９】
この場合、前記ガス流量制御子をガス通路内に挿設した円筒形状の回転体で形成し、この回転体の外周面に、各ガス流出部の上流側に相互に隔絶して設けた複数本の連通路にそれぞれ対応させてガス通路と各連通路との連通を許容する長溝を形成し、火力調節ダイヤルを介して回転体を回転させ、一致する長溝と連通路との数に応じて各ガス流出部毎にガス流量が段階的に増減するようにすればよい。
【００１０】
これによれば、火力調節ダイヤルを一方または他方に回転させると、それに連動してガス通路内の回転体が回転し、いずれかの長溝が連通路と一致する。このとき、両ガス流出部には、一致した長溝と連通路との数に応じたガス流量の燃料ガスがそれぞれ流れる。さらに回転体を回転させると、各ガス流出部に対応した連通路と長溝とが一致する数が変化し、それに応じてガス流出部を流れる燃焼ガスのガス流量がそれぞれ段階的に増減される。
【００１１】
前記各ガス流出部におけるガス流量が大小の２段階に設定されるように前記ガス流量制御子を形成し、前記火力調節ダイヤルの回転角に応じて、両ガス流出部でのガス流量の大小の組合わせが相互に異なる４種類の状態に変化するようにしておけば、両ガス流出部からの燃料ガスをグリルに設けた上火バーナ及び下火バーナに供給する場合、上火バーナ及び下火バーナ毎に、大小２種類の火力ポジションを設定でき、その火力ポジションの組合せを相互に異なる４種類に設定できて利便性が向上する。
【００１２】
前記火力調節ダイヤルの回転方向の所定位置にクリックを発生させるノック位置を設け、ノック位置毎に、いずれか一方のガスバーナの火力が大小するようにしておけば、ノック位置毎に、上火バーナ及び下火バーナの少なくとも一方の火力を変更されるので、火力設定が容易になり、利便性をさらに向上させることができる。
【００１３】
尚、各連通路を通過してガスバーナへと流れる燃料ガスのガス流量を所定量に調節する複数のオリフィス孔を形成したオリフィス部材を、各オリフィス孔を各連通路にそれぞれ一致させて設けるのがよい。
【００１４】
また、前記火力調節ダイヤルに、ガス通路を開放保持する開弁位置、ガスバーナの点火手段を作動させる点火位置及びガス通路を閉鎖する閉弁位置の間で前後方向に移動自在な点消火ボタンを内設すると共に、閉弁位置から点火位置に点消火ボタンを移動させた場合、各ガスバーナへの燃料ガス供給量を所定量に設定する位置まで火力調節ダイヤルを強制的に回転させる強制回転手段を設けておけば、上火バーナ及び下火バーナの点火操作を行う場合、着火を確実にする流量の燃料ガスが常時供給されるようにできてよい。
【００１５】
【発明の実施の形態】
図１及び図２を参照して、１は、本発明のガス制御装置である。このガス制御装置１は、ガス調理器具として、例えばキッチンに設けた厨房家具に設置されるビルトイン式のガスコンロ２に組込まれる。ガスコンロ２は箱状のコンロ器体２１を有し、コンロ器体２１には、その上面を覆う天板２２に設けた３個の開口を臨むように３個のガスバーナ２３が設けられている。コンロ器体２１の前面の両端には、操作パネルである前面パネル２４が設けられている。各前面パネル２４の間に位置してコンロ器体２２の中央部にはグリル２５が配設されている。このグリル２５は、箱状のグリル庫を有し、グリル庫の天井部には、例えばセラミックスプレート式の上火バーナ（図示せず）が設けられ、被調理物が載置される焼き網の下方に位置してグリル庫の両内側壁には左右の下火バーナ（図示せず）がそれぞれ設けられ、本発明のガス制御装置１によって上火バーナ及び下火バーナへの燃料ガスの供給が同時に制御される。
【００１６】
図２に示すように、ガス制御装置１は、上下に重ねて連結した２個の部分１１ａ、１１ｂから構成されるバルブケーシングを有する。下側に位置するバルブケーシングの第１部分１１ａには、バルブケーシングの長手方向に沿って延びる第１内部通路１２ａが設けられ、第１内部通路１２ａに連通するガス流入部１３が開設されている。ガス流入部１３の下流側に位置して第１内部通路１２ａには電磁安全弁３が設けられている。電磁安全弁３はマグネットケース３１を有し、このマグネットケース３１には、例えばコンロ器体２１に設けた制御ユニット（図示せず）からの信号に基づいて励磁される電磁石とこれに吸着される吸着片とが収容されている。
【００１７】
吸着片にはマグネットケース３１から第１内部通路１２ａの下流側に向かって突出した第１弁体３２が連結されている。電磁安全弁３の閉弁状態では、第１弁体３２は、該第１弁体３２とマグネットケース３１との間に縮設したばね３３の付勢力によって、第１内部通路１２ａに設けた弁座部材３４の弁座に着座している。電磁安全弁３の開弁操作は、第１内部通路１２ａに挿設され、第１内部通路１２ａの長手方向に沿って前後方向に移動自在な操作ロッド４により行われる。操作ロッド４には第２弁体４１が設けられ、第２弁体４１は第１内部通路１２ａに設けた弁座４２と共に元弁を構成する。元弁の閉弁状態では、第２弁体４１が、第２弁体４１と弁座部材３４との間に縮設したばね４３により弁座４２に着座している。操作ロッド４の前後方向の移動は、前面パネル２４に設けた点消火ボタン５の押込み操作によって行われる。点消火ボタン５は円筒形状に形成され、その第１内部通路１２ａ側の端面には、点消火ボタン５の移動に伴って操作ロッド４を押圧する押圧ロッド５１が連結されている。押圧ロッド５１の下側には、案内部５１ａが形成され、この案内部５１ａの一端が、第１部分１１ａの下側に設けたハートカム機構５２に連結されている。
【００１８】
図２乃至図４に示すように、点消火ボタン５は、後述の火力調節ダイヤルと共に前面パネル２４から突出し、第１内部通路１２ａを閉鎖する閉弁位置（図２参照）から点火操作を行うために、コンロ器体２１内側に向かう方向である後方側（図２では右側）に点消火ボタン５を押込み操作すると、押圧ロッド５１を介して操作ロッド４が後方側に押込まれて元弁を開弁させた後、弁体３２を吸着片側に押しきると共に点火手段である放電ユニット（図示せず）が作動する点火位置まで移動する（図３参照）。点火位置から点消火ボタン５の押込みを解除すると、ハートカム機構５２で案内されて、コンロ器体２１外側に向かう方向である前方側（図３では左側）に移動して元弁を開弁保持して第１内部通路１２ａを開放した状態の開弁位置に到達する（図４参照）。消火操作を行うために開弁位置から点消火ボタン５をさらに押込み操作すると、ハートカム機構５２がリセットされて消火位置に戻される（図１及び図２に示す状態）。
【００１９】
元弁の上流側に位置して第１部分１１ａには、ガス流出口１４が設けられ、このガス流出口１４は、第２部分１１ｂに設けた略Ｌ字形の第２内部通路１２ｂの一端と一致し、第１及び第２の各内部通路１２ａ、１２ｂがガス通路を構成する。第２内部通路１２ｂには、ガス流出口１４の下流側に位置して上火バーナ及び下火バーナーの不安定燃焼を発生させる燃料ガスの圧力変動を減衰させるガバナ弁６が設けられている。ガバナ弁６は、第２部分１２ｂの外周面に連結された弁本体６１を有し、弁本体６１の内部には、第２内部通路１２ｂ内に設けた弁座６２方向にばね６３で付勢されたダイヤフラム６４が収容されている。このガバナ弁６の下流側に位置して第２部分１１ｂの外周面には、所定の間隔を置いて４個の第１、第２、第３及び第４の各連通路１５ａ、１５ｂ、１５ｃ、１５ｄが相互に隔絶して設けられている。
【００２０】
第２部分１１ｂの上部には、上火バーナ通じる第１のガス流出部１６ａと下火バーナに通じる第２のガス流出部１６ｂとがそれぞれ設けられている。この場合、第１のガス流出部１６ａが第１及び第２の各連通路１５ａ、１５ｂを介して第２内部通路１２ｂと連通し、第２のガス流出部１６ｂが第３及び第４の各連通路１５ｃ、１５ｄとを介して第２内部通路１２ｂと連通している。そして、上火バーナ及び下火バーナの火力がそれぞれ強弱の２個の火力ポジションに設定されるように、ガス流出部１６ａ、１６ｂ毎に燃料ガスのガス流量を段階的に増減するため、第２内部通路１２ｂには、ガス流量制御子７が設けられている。
【００２１】
図２、図５及び図６を参照して、ガス流量制御子７は、第２内部通路１２ｂに回転自在に挿設した円筒形状の回転体７１から構成される。回転体７１の外周面には、第２内部通路１２ｂと第１及び第２の各ガス流出部１６ａ、１６ｂとの連通を許容する円周方向の第１、第２、第３及び第４の各長溝７２ａ、７２ｂ、７２ｃ、７２ｄが、第１、第２、第３及び第４の各連通路１５ａ、１５ｂ、１５ｃ、１５ｄにそれぞれ対応させて形成されている。この場合、後述する火力調節ダイヤルを介して回転体７１を一方に回転させていくと、回転体７１の回転角に応じて両ガス流出部１６ａ、１６ｂでのガス流量が段階的に増減して上火バーナ及び下火バーナの火力が交互に変化するように、各長溝７２ａ、７２ｂ、７２ｃ、７２ｄの長さ寸法と形成位置とを設定している。
【００２２】
図７に示すように、本実施の形態では、第２及び第４の各長溝７２ｂ、７２ｄが第２及び第４の各連通路１５ｂ、１５ｄと一致した状態で、第１及び第２の各ガス流出部１６ａ、１６ｂには、上火バーナ及び下火バーナの火力を弱とするガス流量の燃料ガスが流れる。この状態から、回転体７１を一方に回転させると、第２の長溝７２ｂに加えて第１の長溝７２ａが第１の連通路１５ａと一致して、ガス流出部１６ａには、上火バーナの火力を強にするガス流量の燃料ガスが流れる。この場合、第３の長溝７２ｃは第３の連通路１５ｃと一致せず、下火バーナの火力は弱のままである。回転体７１をさらに回転させると、第４の長溝７２ｄに加えて第３の長溝７２ｃが第１の連通路１５ｃと一致して、ガス流出部１６ｂには、下火バーナの火力を強にするガス流量の燃料ガスが流れる。この場合、上火バーナの火力は強のままである。そして、回転体７１をさらに回転させると、第１の長溝７２ａが第１の連通路１５ａからずれて、ガス流出部１６ａに流れる燃料ガスのガス流量が減少して、上火バーナの火力は弱になる。
【００２３】
この場合、各連通路１５ａ、１５ｂ、１５ｃ、１５ｄを通過して各ガス流出部１６ａ、１６ｂへと流れる燃料ガスのガス流量を所定量に調節する第１乃至第４のオリフィス孔７３ａ、７３ｂ、７３ｃ、７３ｄを形成した２個のオリフィス部材７３を、各連通路１５ａ、１５ｂ、１５ｃ、１５ｄに一致させて第２部分１１ｂの上面に装着している。これにより、１個のガス制御装置１によって、上火バーナ及び下火バーナ毎に強弱の２個の火力ポジションを設定でき、その組合せは４種類にできる。従って、調理者は、被調理物の加熱調理状況に応じて上火バーナ及び下火バーナの少なくとも一方の火力を任意に変更できるため、利便性がよい。回転体７１の回転角の調節は、点消火ボタン５の周囲に設けたリング状の火力調節ダイヤル８により行われる。
【００２４】
火力調節ダイヤル８は、点消火ボタン５と共にコンロ器体２１の前面パネル２４から突出して設けられる。この場合、点消火ボタン５の外周面が火力調節ダイヤル８及び前面パネル２４内側に隠れるように、点消火ボタン５と火力調節ダイヤル８との前方側の端面を略面一とすると共に、前記点消火ボタン５の外周面と火力調節ダイヤル８の内周面との間にその全周にわたって空間Ｓを設けている（図２参照）。そして、閉弁位置では、点消火ボタン５と火力調節ダイヤル８とが一体となって前面パネル２４から前方側に突出し、押込み操作で開弁位置に点消火ボタン５を移動させると、それに伴って火力調節ダイヤル８が後方側に移動するようにした。この場合、火力調節ダイヤル８は、調理者が火力調節ダイヤル８を操作して上火バーナ及び下火バーナの火力を調節できる長さだけ、前面パネル２４から突出している。
【００２５】
図８を参照して、火力調節ダイヤル８は、点消火ボタン５の前後方向の移動と共に移動する回転自在なつまみ部材８１と、回転体７１を回転させるダイヤル部材８２とから構成される。ダイヤル部材８２の第１内部通路１１ａ側の端部は所定ピッチで歯切りされ、歯切した部分８２ａが第２部分１１ｂから突出した回転体７１の一端部に嵌合した歯車Ｇと噛合っている。これにより、ダイヤル部材８２の回転操作に連動して回転体７１が回転される。また、ダイヤル部材８２の他端部には、半径方向外側に延出させた凹部８２ｂが相互に対向して２箇所設けられている。点消火ボタン５の外周面を隠すつまみ部材８１は透明な樹脂性であり、その第１内部通路１１ａ側の端部には、第１内部通路１１ａ側に延びる突出片８１ａが相互に対向して２箇所設けられている。そして、各突出片８１ａを各凹部８２ｂ内を摺動自在に係合させてつまみ部材８１とダイヤル部材８２とが組付けられる。また、つまみ部材８１の内側には、このつまみ部材８１の内形にほぼ一致した反射部材８３が装着されている。反射部材８３の外表面には、アルミニウムをコーティングすることで反射層が形成されている。反射部材８３にはまた、点消火ボタン５の外周面に形成した段部５ａと、つまみ部材８１の内周面に形成した段部８１ｂとに同時に当接するつば部８３ａが形成され、このつば部８３ａとダイヤル部８２との間に縮設したばね８４によって反射部材８３が前方側に付勢されている。
【００２６】
これにより、つまみ部材８１がばね８４の付勢力で点消火ボタン５に押当てられ、点消火ボタン５を押込み操作すると、それによって伴ってつまみ部材８１が後方側に移動し、開弁位置では、つまみ部材８１を回転させると、突出片８１ａと係合した凹部８２ｂを介してダイヤル部材８２が回転される。他方で、前記点消火ボタン５の閉弁位置では、火力調節ダイヤル８が点消火ボタン５の外周面を露出する方向に単独で移動可能となる。
【００２７】
前面パネル２４の内側には、透明なつまみ部材８１の上方から反射部材８３に向かって光を照射するＬＥＤ等の光源（図示せず）が設けられ、点消火ボタン５の開弁位置で、光源から光を照射してつまみ部材８１が光るようにしている。これにより、ガスコンロ２の作動状況を視覚で確認できる。反射部材８３の表面には、長手方向に延びる凸部８３ｂが形成され（図８参照）、この凸部８３ｂが、つまみ部８１に設けた長手方向の収納部８１ｃに収納され、前面パネル２４に形成した上火バーナ及び下火バーナの火力ポジション表示Ｐ（図６（ａ）参照）と凸部８３ｂとの一致により、上火バーナ及び下火バーナの火力を指標する指標部を構成する。また、凸部８３ｂは光源Ｅからの光が照射されても光ることがないため、光っている周囲に対して浮き出る効果があり、調理者は火力ポジションＰと凸部８３ｂとの一致を認識し易い。
【００２８】
図９乃至図１３を参照して、ダイヤル部材８２の後方側の内周面にはカム溝８２ｃが形成され、このダイヤル部材８２内を前後方向に移動する押圧ロッド５１の外周面には、カム溝８２ｃと対偶をなす２個の突起片５１ｂが設けられ（図８参照）、カム溝８２ｃと突起片５１ｂが強制回転手段を構成する。この場合、カム溝８２ｃの壁面の高さは、点消火ボタン５の押込み操作につれて一方から他方に向かって低くなるように形成されている。そして、上火バーナ及び下火バーナの点火のため、閉弁位置から点消火ボタン５を押込み操作して開弁位置に到達すると、突起片５１ｂがカム溝８２ｃと係合し、この突起片５１ｂが原動節となって従動節であるカム溝８２ｃが形成されたダイヤル部材８２を回転させ、点消火ボタン５が点火位置に到達したときに、着火を確実にするガス流量の燃料ガスが上火バーナ及び下火バーナにそれぞれ供給される火力ポジションまで回転される。本実施の形態では、強制回転手段５１ｂ、カム溝８２ｃにより、火力調節ダイヤル８が、上火バーナ及び下火バーナの火力をそれぞれ強とする火力ポジションまで強制的に回転される。
【００２９】
この場合、点消火ボタン５の押込み操作を利用して火力調節ダイヤル８を回転させるので、例えば押圧ロッド５１と第１部分１１ａとの間に縮設したばね１７の付勢力を大きくする必要がなく、ガス制御装置１の構造を簡素化できる。また、電磁安全弁３を開弁するために点消火ボタン５の移動距離が長く設定される開弁位置と点火位置との間を、火力調節ダイヤル８の強制的な回転に流用しているため、必要な移動距離が短い閉弁位置と開弁位置との間の点消火ボタン５の移動距離に、火力調節ダイヤル８の強制的な回転のための距離を付加したものより、点消火ボタン５の前後方向の移動距離を短くできるため、操作感がよく、使い勝手がよい。
【００３０】
点火位置では、放電ユニットを作動させて上火バーナ及び下火バーナが点火される。その後、点消火ボタン５の押込みを解除すると、ハートカム機構５２に案内されてばね１７の付勢力によって少し戻り、点消火ボタン５は開弁位置に到達する。開弁位置では、突起片５１ｂとカム溝８２ｃとの係合が解除され、ダイヤル部材８２が、時計方向または反時計方向に回転自在となる。これにより、開弁位置での火力調節ダイヤル８の操作性は損なわず、調理者の回転操作感に悪影響を与えることはない。また、点消火ボタン５の押込みを解除したときの点消火ボタン５の戻りで突起片５１ｂとカム溝８２ｃとの係合が解除されるため、開弁位置で強制回転手段５１ｂが火力調節ダイヤル８のカム溝８２ｃに干渉しないようにする機構を別途設ける必要もないため、部品点数を増やす必要もない。
【００３１】
開弁位置での火力調節ダイヤル８の回転範囲を制限するため、ダイヤル部材８２のカム溝８２ｃを形成した箇所に、相互に対向する２個の凸部８２ｄが形成されている。そして、火力調節ダイヤル８を、時計方向または反時計方向に回転させたとき、この凸部８２ｄに各突起片５１ｂが当接することで、回転範囲内が制限される。これにより、火力調節ダイヤル８の回転範囲を制限するためのストッパ等を別個に設ける必要はなく、部品点数が減少して低コストにできる。
【００３２】
図１４に示すように、点消火ボタン５の閉弁位置では、突起片５１ｂが、ダイヤル部材８２のカム溝８２ｃを形成した箇所より前方側に位置している。この場合、閉弁位置で火力調節ダイヤル８を火力調節範囲を超えて反時計方向に回転できるようにし、この位置では、突起片５１ｂが凸部８２ｄと対向する。これにより、点消火ボタン５を押込み操作しても、突起片５１ｂが凸部８２ｂの前面パネル２４手前側の面に当接して閉弁位置から点火位置に点消火ボタン５が移動できないロック位置が形成され、チャイルドロックされる。この場合、ダイヤル部材８２の外周面に突出部Ｅが設けられ（図９参照）、この突出部Ｅが第１部分１１ａに設けたストッパ（図示せず）に当接すると、ロック位置に到達する。
【００３３】
図２及び図１５を参照して、ダイヤル部材８２の前方側の内周面には、同一円周方向上で所定の間隔を置いて第１、第２及び第３の各凹部８２ｅ、８２ｆ、８２ｇが形成されている。点消火ボタン５の後方側の端部には、半径方向の孔５ｂが形成され、この孔５ｂには、円筒形状のクリック部材Ｃがダイヤル部材８２の内周面に向かってばねＣ１で付勢させた状態で収納されている。そして、開弁位置で、火力調節ダイヤル８を回転させて所定の位置に到達すると、凹部８２ｅ、８２ｆ、８２ｇにクリック部材Ｃが嵌合してクリックを発生するノック位置が設けられる。本実施の形態では、ノック位置毎に、いずれか一方のガス流出部１６ａ、１６ｂでのガス流量が増減して上火バーナまたは下火バーナの火力が変化するようにしている。
【００３４】
次に、本発明のガス制御装置１の作動を説明する。図２に示す閉弁位置から点消火ボタン５の押込み操作すると、押圧ロッド５１を介して操作ロッド４を後方側に押圧して元弁を開弁させ、図３に示す開弁位置に到達すると突起片５１ｂとカム溝８２ｃとが係合し、弁体３２を吸着片側に押しきる点火位置に到達する前に、火力調節ダイヤル８が強制的に回転される。この場合、回転体７１は歯車Ｇを介して回転され、第１乃至第４の各長溝７２ａ、７２ｂ、７２ｃ、７２ｄが第１乃至第４の各連通路１５ａ、１５ｂ、１５ｃ、１５ｄにそれぞれ一致し、上火バーナ及び下火バーナの火力を強とするガス流量の燃料ガスが各ガス流出部１６ａ、１６ｂへ流れる（図６参照）。また、クリック部材Ｃは第２の凹部８２ｆに嵌合している（図１５参照）。
【００３５】
点火位置に到達すると、放電ユニットによって上火バーナ及び下火バーナの点火操作が行われる。そして、上火バーナ及び下火バーナの近傍に設けた火炎検出素子（図示せず）が火炎を検出すると、制御ユニットからの信号で電磁安全弁３が励磁されて開弁保持される。上火バーナ及び下火バーナが着火したことを確認して点消火ボタン５の押込みを解除すると、点消火ボタン５は、ハートカム機構５２に案内されて図３に示す開弁位置に到達する。
【００３６】
この位置から火力調節ダイヤル８を反時計方向に回転させ、クリック部材Ｃが第３の凹部８２ｇに嵌合すると、凸部８２ｄに各突起片５１ｂが当接する。この場合、第１、第３及び第４の各長溝７２ａ、７２ｃ、７２ｄが第１、第３及び第４の各連通路１５ａ、１５ｃ、１５ｄにそれぞれ一致し、上火バーナの火力を弱、下火バーナの火力を強とするガス流量の燃料ガスが各ガス流出部１６ａ、１６ｂへ流れる（図１６参照）。
【００３７】
他方で、上記位置から火力調節ダイヤル８を時計方向に回転させ、クリック部材Ｃが第１の凹部８２ｅに嵌合すると、第１、第２及び第４の各長溝７２ａ、７２ｂ、７２ｄが第１、第２及び第４の各連通路１５ａ、１５ｂ、１５ｄにそれぞれ一致し、上火バーナの火力を強に保持し、下火バーナの火力を弱とするガス流量の燃料ガスが各ガス流出部１６ａ、１６ｂへ流れる（図１７参照）。次いで、凸部８２ｄに各突起片５１ｂが当接するまで火力調節ダイヤル８を時計方向に回転させると、第１及び第３の長溝７２ａ、７２ｂが第１及び第３の連通路１５ａ、１５ｃと一致し、上火バーナ及び下火バーナの火力をそれぞれ弱とするガス流量の燃料ガスが各ガス流出部１６ａ、１６ｂへ流れる（図１８参照）。
【００３８】
上火バーナ及び下火バーナを消火する場合、開弁位置から後方側に点消火ボタン５を押込み操作すると、ハートカム機構５２がリセットされ、点消火ボタン５は、ばね１７の付勢力を受けて図２に示す閉弁位置まで後退する。この場合、押圧ロッド５１の押圧が解除された操作ロッド４は、ばね４３の付勢力を受けて前方側に移動し、元弁を閉弁する。元弁が閉弁されると上火バーナ及び下火バーナへの燃料ガスの供給が停止されて消火される。火炎検出素子によって火炎が消えたことを制御ユニットが認識すると電磁安全弁３が閉弁される。
【００３９】
尚、本実施の形態では、被調理物を常時両側から加熱調理するように、各長溝７２ａ、７２ｂ、７２ｃ、７２ｄの長さ寸法と形成位置とを設定したが、これに限定されるものではなく、例えば、火力調節ダイヤル８を所定の位置まで回転させると、上火バーナのみに燃料ガスが供給されるようにして、片面の加熱調理できるように長溝を設定してもよい。また、例えば上火バーナ及び下火バーナの火力がそれぞれ強、中、弱の３個の火力ポジションに設定でき、上火バーナ及び下火バーナの火力の組合わせが相互に異なる９種類の状態に変化するように、回転体及び各連通路を形成することもできる。さらに、点火操作時に、上火バーナの火力のみが強となるように強制回転手段によって火力調節ダイヤル８を回転させてもよい。
【００４０】
【発明の効果】
以上説明したように本発明のガス制御装置は、上火バーナ及び下火バーナの火力ポジションの組合せが相互に異なる４種類以上にできて利便性が向上するという効果を奏する。
【図面の簡単な説明】
【図１】本発明のガス制御装置を組込んだガスコンロの斜視図
【図２】閉弁位置にある本発明のガス制御装置の断面図
【図３】点火位置にある本発明のガス制御装置の断面図
【図４】開弁位置にある本発明のガス制御装置の断面図
【図５】回転体によるガス流量調節を説明する部分拡大断面図
【図６】（ａ）乃至（ｃ）は、回転体によるガス流量調節を説明する図
【図７】回転体によるガス流量調節を説明するグラフ
【図８】点消火ボタンと火力調節ダイヤルとの構成を説明する分解斜視図
【図９】消火位置における強制回転手段を説明する図
【図１０】消火位置における強制回転手段を説明する図
【図１１】点火位置における強制回転手段を説明する図
【図１２】点火位置における強制回転手段を説明する図
【図１３】強制回転手段による火力調節ダイヤルの強制的な回転を説明する図
【図１４】（ａ）及び（ｂ）は、点消火ボタンのロック位置を説明する図
【図１５】流量調節ダイヤルを回転させたときのクリックの発生を説明する図
【図１６】（ａ）乃至（ｄ）は、回転体によるガス流量調節を説明する図
【図１７】（ａ）乃至（ｄ）は、回転体によるガス流量調節を説明する図
【図１８】（ａ）乃至（ｄ）は、回転体によるガス流量調節を説明する図
【符号の説明】
１  ガス制御装置
１５  連通路
１６ａ、１６ｂ  ガス流出口
５  点消火ボタン
７  流量調節手段
７１  回転体
７２  長溝
８  火力調節ダイヤル
【図１】
2004340432.tif 000003
【図２】
2004340432.tif 000004
【図３】
2004340432.tif 000005
【図４】
2004340432.tif 000006
【図５】
2004340432.tif 000007
【図６】
2004340432.tif 000008
【図７】
2004340432.tif 000009
【図８】
2004340432.tif 000010
【図９】
2004340432.tif 000011
【図１０】
2004340432.tif 000012
【図１１】
2004340432.tif 000013
【図１２】
2004340432.tif 000014
【図１３】
2004340432.tif 000015
【図１４】
2004340432.tif 000016
【図１５】
2004340432.tif 000017
【図１６】
2004340432.tif 000018
【図１７】
2004340432.tif 000019
【図１８】
2004340432.tif 000020